(57)【要約】【課題】転写装置の構成を簡易なものとしつつ、白ポチ画像と２色部分のボソツキ画像の両者の発生を抑えることで、画質向上と省スペースを両立することを目的とする。【解決手段】  表面にトナー像を担持して無端移動する中間転写ベルト５１と、中間転写ベルト５１上のトナー像を転写紙Ｐへ二次転写する二次転写ニップＮを形成する紙転写ローラ５４と、紙転写ローラ５４に対して中間転写ベルト５１を介して接し、対向して配置される紙転写対向ローラ５４と、を備えた転写装置９０において、紙転写ローラ５４は、金属製の芯金７１ｃと、芯金７１ｃの表面に形成された抵抗部材７１、７２と、を有し、抵抗部材７１の二次転写ニップ入口側の抵抗と抵抗部材７２の二次転写ニップ出口側の抵抗が異なることを特徴とする転写装置９０。【選択図】図２
2016138972.tif 000002
【特許請求の範囲】
【請求項１】
表面にトナー像を担持して無端移動する中間転写体と、
前記中間転写体上のトナー像を記録媒体へ二次転写する二次転写ニップを形成する転写電極と、
前記転写電極に対して前記中間転写体を介して接し、対向して配置される転写対向ローラと、を備えた転写装置において、
前記転写電極は、金属製の芯金と、前記芯金の表面に形成された抵抗部材と、を有し、
前記抵抗部材の前記二次転写ニップの入口側の抵抗と前記二次転写ニップの出口側の抵抗が異なることを特徴とする転写装置。
【請求項２】
前記抵抗部材は、前記記録媒体の搬送方向に複数の材質の異なる部材を組み合わせてなり、前記転写電極が１つの前記二次転写ニップを形成することを特徴とする請求項１に記載の転写装置。
【請求項３】
前記抵抗部材は、前記記録媒体の搬送方向に単一で均質の材質である部材からなり、前記抵抗部材の鉛直方向の厚みが前記記録媒体の搬送方向で異なる前記転写電極が、1つの前記二次転写ニップを形成することを特徴とする請求項１に記載の転写装置。
【請求項４】
前記抵抗部材の前記二次転写ニップの入口側における抵抗が、前記二次転写ニップの出口側における抵抗より高いことを特徴とする請求項２または請求項３のいずれか１項に記載の転写装置。
【請求項５】
請求項１〜請求項４のいずれか１項に記載の転写装置を備えたことを特徴とする画像形成装置。
【発明の詳細な説明】
【技術分野】
【０００１】
本発明は、プリンタ等に用いられる転写装置及びこれを用いた画像形成装置に関する。
【背景技術】
【０００２】
電子写真方式による画像形成装置では、低温低湿環境では画像部のトナーが不規則に抜けて白い斑点が複数現れる白ポチ画像が発生しやすく、特に写真やイラストなどの画像を出力した際に画質を下げることがある。この現象は、記録媒体へ転写する際の転写バイアス（転写電界）が高いほど発生しやすい。
【０００３】
一方、２色のトナーが色重ねした像を記録媒体へ転写する際には、転写バイアスが低いと転写不良が発生し、部分的に色味の異なるぼそついた画像（以降、ボソツキ画像という）が発生しやすい。そのため、白ポチ画像とボソツキ画像のどちらも発生しない適切な転写バイアスを選択する必要がある。
【０００４】
中間転写体を用いた作像方式において、例えばローラ形状のように周方向の物性がどの点でも同一である転写部材が１つ設けられた２次転写装置では、中間転写体のベルト抵抗や２次転写のローラ抵抗など物性によっては、上記白ポチ画像やボソツキ画像等の異常画像発生を抑えるように転写バイアスを調整しても、目視で検出できる程度に発生してしまうに留まるという問題があった。
【０００５】
上記異常画像を防止するため、複数の転写部材によって複数の転写バイアスで複数回に分けて記録媒体へ転写する方式も考えられる。例えば特許文献１には、超音波振動を紙転写に用いることで転写率を向上させることが目的で、超音波振動をかける箇所に転写電界が生じるよう、複数箇所で複数のバイアスが印加する構成が開示されている。
【発明の概要】
【発明が解決しようとする課題】
【０００６】
しかし、画像形成装置は近年、画質に加えて省スペース・小型化が求められており、特許文献１の画像形成装置では、複数の転写部材を用いるため、省スペース化と、白ポチと２色のボソツキ画像の両者を抑制する高画質化を両立する問題は解決できていない。
【０００７】
本発明は、このような問題を解決するためになされたもので、転写装置の構成を簡易なものとしつつ、白ポチ画像と２色部分のボソツキ画像の両者の発生を抑えることで、画質向上と省スペースを両立することができる転写装置および画像形成装置を提供することを目的とする。
【課題を解決するための手段】
【０００８】
本発明に係る転写装置は、上記目的を達成するため、表面にトナー像を担持して無端移動する中間転写体と、前記中間転写体上のトナー像を記録媒体へ二次転写する二次転写ニップを形成する転写電極と、前記転写電極に対して前記中間転写体を介して接し、対向して配置される転写対向ローラと、を備えた転写装置において、前記転写電極は、金属製の芯金と、前記芯金の表面に形成された抵抗部材と、を有し、前記抵抗部材の前記二次転写ニップ入口側の抵抗と前記二次転写ニップ出口側の抵抗が異なることを特徴とする。
【発明の効果】
【０００９】
本発明では、転写装置の構成を簡易なものとしつつ、白ポチ画像と２色部分のボソツキ画像の両者の発生を抑えることで、画質向上と省スペースを両立することができる。
【図面の簡単な説明】
【００１０】
【図１】本発明の実施の形態に係る画像形成装置の概略構成図である。
【図２】本発明の実施の形態に係る転写装置を示す図である。
【図３】本発明の実施の形態に係る転写装置における紙転写ローラの各位置での抵抗と電界の強さを示す図である。
【図４】本発明の実施の形態に係る転写装置を用いて画像を形成した場合の画像ランクを評価したグラフである。
【図５】本発明の他の実施の形態に係る転写装置を示す図である。
【図６】本発明の他の実施の形態に係る転写装置における紙転写ローラの各位置での抵抗と電界の強さを示す図である。
【図７】本発明の他の実施の形態に係る転写装置を用いて画像を形成した場合の画像ランクを評価したグラフである。
【図８】本発明の他の実施の形態に係る転写装置を示す図である。
【発明を実施するための形態】
【００１１】
以下、本発明の実施形態について、図面を参照して説明する。
【００１２】
（第１の実施の形態）
図１に本実施の形態に係る画像形成装置１００の概略構成図を示す。画像形成装置１００は、画像形成部をトナー像担持ベルトである中間転写ベルト５１に沿って並設した構成のタンデム型間接転写方式の画像形成装置である。画像形成装置１００の中央には、無端ベルト状の中間転写ベルト５１を備え、４つの感光体１ａ，１ｂ，１ｃ，１ｄ上に形成されたトナー像を記録媒体である転写紙Ｐに転写する転写装置９０が設けられている。
【００１３】
各感光体上には互いに異なる色のトナー像がそれぞれ形成される。具体的には、これらの感光体１ａ，１ｂ，１ｃ，１ｄ上に、ブラックトナー像、マゼンタトナー像、シアントナー像及びイエロートナー像がそれぞれ形成される。なお、本実施形態における各感光体１ａ，１ｂ，１ｃ，１ｄはドラム状に形成されているが、複数のローラに巻き掛けられて回転駆動される無端ベルト状の感光体を用いてもよい。
【００１４】
４つの感光体１ａ，１ｂ，１ｃ，１ｄに対向して、像担持体である中間転写体として、無端ベルト状部材の中間転写ベルト５１が配置されている。中間転写ベルト５１は、その表面にトナー像を担持して無端移動するようになっている。各感光体１ａ，１ｂ，１ｃ，１ｄの外周面は、それぞれ中間転写ベルト５１の外周面に当接している。本実施形態の中間転写ベルト５１は、テンションローラ５２、駆動ローラ５３、紙転写対向ローラ５４、入口ローラ５５等の支持ローラ（支持回転体）に巻き掛けられ、張架されている。これらの支持ローラのうちの１つである駆動ローラ５３は、駆動源によって回転駆動し、この駆動ローラ５３の回転駆動により中間転写ベルト５１が図１中の矢印Ａの向きに走行する。
【００１５】
中間転写ベルト５１は、多層構造のものでも単層構造のものでもよい。多層構造のベルトで構成する場合、例えば、伸びの少ないフッ素樹脂やＰＶＤＦシート、ポリイミド系樹脂でベース層を形成し、ベルト外周面をフッ素系樹脂等の平滑性のよいコート層で構成するものが好ましい。一方、単層構造のベルトで構成する場合には、ＰＶＤＦ、ＰＣ、ポリイミド等の材質を用いるものがよい。
【００１６】
各感光体１ａ，１ｂ，１ｃ，１ｄ上に各色トナー像を形成する構成及び動作、並びに、各色トナー像を中間転写ベルト５１上に一次転写する構成及び動作は、ほぼ同様であり、形成される各色トナー像の色が異なるだけである。よって、以下、ブラック用感光体１ａにブラックトナー像を形成し、そのトナー像を中間転写ベルト５１上に一次転写する構成及び動作について説明し、他の色については説明を省略する。
【００１７】
ブラック用感光体１ａは、図１中の反時計回り方向に回転駆動する。感光体１ａの外周面には、除電装置からの光が照射されることで、感光体１ａの表面電位が初期化される。初期化された感光体外周面は、帯電装置８ａによって所定の極性（本実施形態ではマイナス極性）に一様に帯電される。このようにして帯電された感光体外周面は、露光装置から出射される光変調されたレーザビームＬが照射され、これにより感光体１ａの外周面上に静電潜像が形成される。本実施の形態においては、レーザビームＬを出射する露光装置がレーザ書き込み装置で構成されているが、例えばＬＥＤアレイと結像手段を有する露光装置などを用いてもよい。感光体１ａに形成された静電潜像は、現像装置１０ａと対向する現像領域を通過する際に、ブラックトナー像として可視像化される。
【００１８】
中間転写ベルト５１の内周面側には、感光体１ａと対向する位置に一次転写ローラ１１ａが配置されている。この一次転写ローラ１１ａが中間転写ベルト５１の内周面に当接することで、感光体１ａと中間転写ベルト５１との間に適正な一次転写ニップが確保されている。一次転写ローラ１１ａには、感光体１ａ上に形成されたトナー像のトナー帯電極性と逆極性（本実施形態ではプラス極性）の一次転写電圧が印加される。これにより、感光体１ａと中間転写ベルト５１との間に一次転写電界が形成され、感光体１ａ上のトナー像が、その感光体１ａと同期して回転駆動される中間転写ベルト５１上に静電的に一次転写される。トナー像を中間転写ベルト５１に一次転写した後の感光体１ａの外周面に付着する転写残トナーは、クリーニング装置１２ａによって除去され、感光体１ａの外周面が清掃される。
【００１９】
４色のトナー像をすべて使うフルカラーモードにおいては、他の色の感光体１ｂ，１ｃ，１ｄについても、同様に、マゼンタトナー像、シアントナー像及びイエロートナー像がそれぞれ形成される。そして、これらの各色トナー像は、中間転写ベルト５１上に一次転写されているブラックトナー像に重ね合わさるようにして、順次一次転写される。
【００２０】
一方、ブラック単色モードにおいては、接離機構により、一次転写ローラ１１ｂ，１１ｃ，１１ｄを感光体１ｂ，１ｃ，１ｄから離間させることで、マゼンタ、シアン、イエロー用の感光体１ｂ，１ｃ，１ｄを中間転写ベルト５１から離間させる。そして、ブラック感光体１ａのみが中間転写ベルト５１に当接した状態で、ブラックトナー像のみが中間転写ベルト５１に一次転写される。
【００２１】
画像形成装置１００の下部には、給紙装置１４が配置されている。給紙装置１４は、給紙ローラ１５の回転によって、記録媒体としての転写紙Ｐを図１中の矢印Ｂの方向へ送り出す。送り出された転写紙Ｐは、レジストローラ対１６により、所定のタイミングで紙転写対向ローラ５４に巻き掛けられた中間転写ベルト５１の部分と、これに対向配置された二次転写ベルト６１の部分とが当接している二次転写ニップＮへと給送される。二次転写ニップＮは中間転写ベルト５１上のトナー像を転写紙Ｐへ二次転写するようになっている。このとき、紙転写対向ローラ５４には所定の二次転写電圧が印加され、これによって中間転写ベルト５１上のトナー像が転写紙Ｐに二次転写される。
【００２２】
無端状のベルト部材としての二次転写ベルト６１は、第１支持回転体としての分離ローラ６３と、第２支持回転体としての紙転写ローラ６２、第３支持回転体としてのテンションローラ６４とに張架支持されている。紙転写ローラ６２は、紙転写対向ローラ５４に対して中間転写ベルト５１を介して接し、対向して配置され、二次転写ニップＮを形成している。本実施の形態では、分離ローラ６３が駆動ローラとなって回転駆動することで、二次転写ベルト６１は、図１中の矢印Ｃに示す向きに走行する。
【００２３】
トナー像が二次転写された転写紙Ｐは、二次転写ベルト６１の外周面に静電的に吸着した状態で、二次転写ベルト６１の走行に伴って搬送される。そして、転写紙Ｐは、分離ローラ６３に巻き付いた二次転写ベルト６１の部分の曲率によって二次転写ベルト６１の外周面から分離し、二次転写ベルト６１の転写紙搬送方向下流側に配置されている搬送ベルト１７によって更に転写紙搬送方向下流側へ搬送される。この搬送ベルト１７は、入口回転体としての駆動ローラである入口ローラ１７Ａと従動回転体である従動ローラ１７Ｂとに張架されている。そして、転写紙Ｐが定着装置１８を通る際に、転写紙Ｐ上のトナー像が熱と圧力の作用により転写紙Ｐに定着される。定着装置１８を通過した転写紙Ｐは、排紙部に設けられた排紙ローラ対１９を通って機外に排出される。
【００２４】
また、トナー像を二次転写した後の中間転写ベルト５１上に付着する転写残トナーは、ベルトクリーニング装置２０によって除去される。本実施の形態におけるベルトクリーニング装置２０では、ウレタン等で形成されたブレード形状のクリーニングブレード２１を用いており、そのクリーニングブレード２１を中間転写ベルト５１の走行方向に対してカウンタ方向から当接させている。なお、ベルトクリーニング装置２０には適宜様々な種類のものを用いることが可能であり、例えば、クリーニング装置を静電式のものとしてもよい。
【００２５】
次に、図２を参照して、転写装置９０の詳細について説明する。
【００２６】
図２に示す紙転写対向ローラ５４は、芯金５４ｃにゴム層５４ｄを貼り合わせた構成であり、ゴム層５４ｄは中間転写ベルト５１の回転によって連れまわる。紙転写対向ローラ５４は芯金径が１０ｍｍ、ゴム層はＮＢＲ発泡ゴムを用いて、外径が２５ｍｍ、抵抗が７．５[ｌｏｇΩ]で硬度はＡＳＫＥＲ−Ｃ硬度で４０℃である。
【００２７】
次に紙転写ローラ６２について説明する。紙転写ローラ６２は、もっとも内側に電圧を印加する芯金７１ｃと、芯金７１ｃの周囲に体積抵抗率の異なる２種類の樹脂製の抵抗部材７１、７２とを組み合わせてなり、１つの二次転写ニップＮを形成し、固定配置される。省スペース化の観点から、紙転写のための転写バイアスを印加し、加圧しながら転写する位置が１点である直接印加転写方式を採用している。
【００２８】
抵抗部材７１、７２の外側を二次転写ベルト６１が覆い、二次転写ベルト６１は、駆動ローラである分離ローラ６３により回転移動する。芯金７１ｃは外径１０ｍｍでＳＵＳ製である。上流側の抵抗部材７１、下流側の抵抗部材７２はどちらもＥＰゴム製でそれぞれ抵抗が８．０[ｌｏｇΩ]、７．５[ｌｏｇΩ]（荷重１０Ｎ／印加電圧１ｋＶ時）である。二次転写ニップＮの入口側である上流側の抵抗部材７１が、二次転写ニップＮの出口側である下流側の抵抗部材７２よりも高抵抗であるようになっている。
【００２９】
抵抗部材７１、７２はどちらもＪＩＳ−Ａで７０°と同じ硬度で、両部材はその外周面が直径３５ｍｍの同一円となるように貼り合わさっている。それらを内包する二次転写ベルト６１は、その内側に潤滑剤としてステアリン酸亜鉛（以下、ＺｎＳｔ）が塗布され、二次転写ベルト６１と抵抗部材７１、７２との摩擦抵抗を抑えている。またさらに摩擦抵抗を抑えるために抵抗部材７１、７２の表面にフッ素系ウレタン樹脂をスプレー塗布してもよい。
【００３０】
ここで、二次転写ニップＮの入口側である上流側の抵抗部材７１が、二次転写ニップＮの出口側である下流側の抵抗部材７２よりも高抵抗とすることで白ポチ画像およびボソツキ画像を抑制できる理由について説明する。
【００３１】
白ポチ画像は、転写電界により局所的に発生する放電によって、像担持体または中間転写体上のトナー像の一部が逆帯電化、または弱帯電化し、静電的に記録媒体に移動させられなくなることで生じる。この放電現象は転写電界が高いほど顕著となり、白ポチ画像も発生しやすくなる。ただし、比較的小さな転写電界により記録媒体に転写した後、転写電界を大きくして放電が顕著になる場合については、すでに記録媒体に転写しているため、記録媒体との付着力があるため像担持体または中間転写体にトナーが引き戻されにくい。
【００３２】
二次転写ニップＮの上流側の抵抗部材７１の抵抗を二次転写ニップＮの下流側の抵抗部材７１の抵抗より小さくすることで二次転写ニップＮ内において、二次転写ニップＮの上流側で、転写電界を比較的低くして白ポチ画像を抑制できる。また、二次転写ニップＮの下流側で２色のボソツキ画像を抑制するための比較的高い転写電界をつくることで、両異常画像の抑制を両立することができる。
【００３３】
紙転写対向ローラ５４には紙転写ローラ６２が加圧スプリングによってローラ両端部がそれぞれ７０[Ｎ]の力で加圧して二次転写ニップＮを形成している。ここで二次転写ニップＮの入口の位置をａ、出口の位置をｂとすると、図２に示す構成により本実施の形態に係る転写装置９０は、抵抗部材７１、７２が図３ａの実線プロットに示すような抵抗分布をとることで、図３ｂの実線に示すような出口で電界が急峻に立ち上がる二次転写ニップＮを得ることができる。この結果、抵抗部材７１、７２が同一部材であった場合を示す場合（図３点線）と比較して、二次転写ニップＮの入口では弱い電界に抑えられ、二次転写ニップＮの出口付近で強い電界を形成する。
【００３４】
図４（実線）に、図２で示した異なる２種類の抵抗部材７１、７２からなる紙転写ローラ６２を用いた際の白ポチ画像とボソツキ画像の画像ランクを示す。ここで画像ランクとは、それぞれの異常画像の程度を示す独自の指標で、値が高いほど異常画像を抑制できており画像の質が良く、低いほど悪いようになっている。図４の破線に示す抵抗部材が同一材料の抵抗部材からなる紙転写ローラを用いたランクと比較して、異なる２種類の抵抗部材からなる紙転写ローラ６２は白ポチ画像およびボソツキ画像のランクが良い。これにより、白ポチ画像もボソツキ画像も良い転写電圧を設定することができる。
【００３５】
以上のように、本実施の形態に係る転写装置９０は、中間転写ベルト５１と紙転写ローラ６２と転写対向ローラ５４とを備え、紙転写ローラ６２は金属製の芯金７１ｃと芯金７１ｃの表面に形成された抵抗部材７１、７２と、を有し、抵抗部材の二次転写ニップＮの入口側の抵抗と二次転写ニップＮの出口側の抵抗が異なるよう構成した。
【００３６】
この構成により、比較的小さな転写電界により二次転写ニップＮの入口側で転写紙Ｐにトナー像が転写された後、二次転写ニップＮの出口側で転写電界が大きくなり放電がなされるが、既に転写紙Ｐに転写がされているので、転写紙Ｐの付着力によりトナーが中間転写ベルト５１や紙転写ローラ６２に引き戻されにくく、白ポチ画像の発生を抑制することができる。
【００３７】
また、二次転写ニップＮの出口側で比較的高い転写電界を形成しているので、ボソツキ画像も抑制でき、白ポチ画像、ボソツキ画像の両画像異常の発生を抑制することで画質向上を実現することができる。
【００３８】
また、抵抗部材は、転写紙Ｐの搬送方向に複数の材質の異なる抵抗部材７１、７２を組み合わせてなり、紙転写ローラ６２が１つの二次転写ニップＮを形成するよう構成してもよい。
【００３９】
この構成により、１つの二次転写ニップＮにより転写電界が生じるようバイアスが印加されるので、複数の二次転写ニップを設ける必要がなく簡易な構成で省スペースを実現することができる。したがって画質向上と省スペースを両立することができる。
【００４０】
また、抵抗部材７１の二次転写ニップＮの入口側における抵抗が、抵抗部材７２の二次転写ニップＮの出口側における抵抗より高くなるよう構成してもよい。この構成により、白ポチ画像、ボソツキ画像の両画像異常の発生を抑制することができる。
【００４１】
（第２の実施の形態）
次に、図５を参照して、本発明の第２の実施の形態について説明する。
【００４２】
本実施の形態では、第１の実施の形態とは抵抗部材が単一で均質の部材からなる点および芯金の形状が楕円形状である点で異なるが、他の構成は同様である。したがって、同一の構成要素については、図１、図２に示した第１実施形態と同一の符号を用いて説明し、特に相違点についてのみ詳述する。
【００４３】
図５に示す紙転写ローラ６２は、その芯金７３ｃが短径１０ｍｍ、長径２０ｍｍの楕円形状の断面をもつＳＵＳ製で、この周囲をＥＰゴム製の抵抗部材７３が外径３５ｍｍで覆っている。この外側を二次転写ベルト６１が覆い、二次転写ベルト６１は駆動ローラである分離ローラ６３により回転移動する。抵抗部材７３は芯金７３ｃが短径の箇所で８．０[ｌｏｇΩ]（荷重１０Ｎ／印加電圧１ｋＶ時）である。ゴム硬度はＪＩＳ−Ａで７０°である。
【００４４】
ここで二次転写ニップＮの入口の位置をａ、二次転写ニップＮの出口の位置をｂとすると、紙転写ローラ６２は位置ｂにもっとも抵抗部材７３の厚みの小さい箇所にくるように配置している。これにより抵抗部材７３の二次転写ニップＮの入口位置ａにおける抵抗が、抵抗部材７３の二次転写ニップＮの出口位置ｂにおける抵抗より高くなるようになっている。
【００４５】
二次転写ベルト６１は、その内側に潤滑剤としてＺｎＳｔが塗布され、二次転写ベルト６１と抵抗部材７３との摩擦抵抗を抑えている。さらに摩擦抵抗を抑えるために抵抗部材７３にフッ素系ウレタン樹脂をスプレー塗布した紙転写ローラ６２であってもよい。
【００４６】
なお紙転写対向ローラ５４には紙転写ローラ６２が加圧スプリングによってローラ両端部がそれぞれ７０[Ｎ]の力で加圧して二次転写ニップＮを形成している。
【００４７】
図５に示す構成により本実施の形態に係る転写装置９０の抵抗部材７３が図６ａの実線プロットに示すような抵抗分布をとることで、図６ｂの実線に示すような出口で電界が急峻に立ち上がる二次転写ニップＮを得ることができる。この結果、抵抗部材７３の抵抗が位置によらず一定である場合（図６ａ中の点線）と比較して、二次転写ニップＮの入口では弱い電界に抑えられ、二次転写ニップＮの出口付近で強い電界になる。
【００４８】
図７（実線）には、図５で示した抵抗部材７３の位置によって抵抗の異なる紙転写ローラを用いた際の白ポチ画像とボソツキ画像の画像ランクを図７の破線に示す。
【００４９】
抵抗部材７３の抵抗が位置によらず一定で同一である抵抗部材からなる紙転写ローラを用いた場合の画像ランクと比較して、二次転写ニップＮの位置によって抵抗の異なる紙転写ローラ６２は白ポチ画像およびボソツキ画像のランクが良い。これにより、白ポチ画像もボソツキ画像も良い転写電圧を設定することが可能である。
【００５０】
なお本実施の形態に係る転写装置９０と同様の効果を得るために紙転写ローラ６２内の芯金の形状はこの限りではなく、図８に示す紙転写ローラ６２のように、ＳＵＳの台形型の板金からなる芯金７４ｃを用い、ＥＰゴム製の抵抗部材７４を張り合わせて構成してもよい。
【００５１】
このほか、同様の効果を得るために紙転写ローラ６２内の芯金７４ｃの形状は、断面形状が四角形や三角形、半円など抵抗部材の厚みが転写ニップ内の位置によって異なる形状であればよい。
【００５２】
以上のように、本実施の形態に係る転写装置９０は、抵抗部材７３が、転写紙Ｐの搬送方向に単一で均質の材質である部材からなり、抵抗部材７３の鉛直方向の厚みが転写紙Ｐの搬送方向で異なる紙転写ローラ６２が、１つの二次転写ニップＮを形成するようになっている。
【００５３】
この構成により、比較的小さな転写電界により二次転写ニップＮの入口側で転写紙Ｐにトナー像が転写された後、二次転写ニップＮの出口側で転写電界が大きくなり放電がなされるが、既に転写紙Ｐに転写がされているので、転写紙Ｐの付着力によりトナーが中間転写ベルト５１や紙転写ローラ６２に引き戻されにくく、白ポチ画像の発生を抑制することができる。
【００５４】
また、二次転写ニップＮの出口側で比較的高い転写電界を形成しているので、ボソツキ画像も抑制でき、白ポチ画像、ボソツキ画像の両画像異常の発生を抑制することで画質向上を実現することができる。
【００５５】
また、１つの二次転写ニップＮにより転写電界が生じるようバイアスが印加されるので、複数の二次転写ニップを設ける必要がなく簡易な構成で省スペースを実現することができる。したがって画質向上と省スペースを両立することができる。
【００５６】
また、抵抗部材７３が単一で均質の材質である部材からなるので、複数の部材を組み合わせて製造する場合と比較して製造工程の簡略化が可能であり、転写装置の製造を低コスト化できる。
【００５７】
また、抵抗部材７３の二次転写ニップＮの入口側における抵抗が、抵抗部材７３の二次転写ニップＮの出口側における抵抗より高くなるよう構成してもよい。この構成により、白ポチ画像、ボソツキ画像の両画像異常の発生を抑制することができる。
【００５８】
本発明によれば、転写装置の構成を簡易なものとしつつ、白ポチ画像と２色部分のボソツキ画像の両者の発生を抑えることで、画質向上と省スペースを両立することができるという効果を有し、転写装置および画像形成装置全般に有用である。
【符号の説明】
【００５９】
５１  中間転写ベルト（中間転写体）
５４  紙転写対向ローラ（転写対向ローラ）
６２  紙転写ローラ（転写電極）
７１、７２、７３、７４  抵抗部材
７１ｃ、７３ｃ、７４ｃ  芯金
９０  転写装置
１００  画像形成装置
Ｎ  二次転写ニップ
Ｐ  転写紙（記録媒体）
【先行技術文献】
【特許文献】
【００６０】
【特許文献１】特開２０１０−２１７５３０号公報
【図１】
2016138972.tif 000003
【図２】
2016138972.tif 000004
【図３】
2016138972.tif 000005
【図４】
2016138972.tif 000006
【図５】
2016138972.tif 000007
【図６】
2016138972.tif 000008
【図７】
2016138972.tif 000009
【図８】
2016138972.tif 000010